(57)【特許請求の範囲】
【請求項１】
複数の照明器具であって、それぞれが、光源および前記光源を点灯させる点灯制御部を有する照明器具と、
複数の照明制御装置であって、それぞれが、前記複数の照明器具のうちの１以上の照明器具の点灯制御部を制御することで前記１以上の照明器具の調光制御を行う複数の照明制御装置と、
前記複数の照明制御装置を制御するシステム制御装置とを備える照明システムであって、
前記システム制御装置は、
時刻を示すカウンタ値を出力するタイマと、
前記複数の照明制御装置への指示と、時刻とが対応付けられたスケジュール情報を記憶するためのスケジュール記憶部と、
前記複数の照明制御装置に情報を送信する第一通信部と、
前記カウンタ値に示される時刻に対応付けられた指示を前記スケジュール情報から特定し、特定した前記指示、および、前記複数の照明制御装置のうちの少なくとも１つの照明制御装置に割り当てられたアドレスを含む制御情報を前記第一通信部に送信させる指示制御部とを有し、
前記複数の照明制御装置のそれぞれは、
当該照明制御装置の調光制御の対象である１以上の照明器具が配置された空間における人の検出および明るさの検出を行うセンサ部と、
前記システム制御装置から送信される前記制御情報を受信する第二通信部と、
当該照明制御装置に割り当てられたアドレスである自己アドレスを記憶するアドレス記憶部と、
前記第二通信部が受信した前記制御情報に示されるアドレスが、前記自己アドレスと一致する場合、（ａ）前記センサ部による明るさの検出の結果を用いずに、かつ、前記センサ部による人の検出の結果に従って調光制御を行う人検出モード、（ｂ）前記センサ部による人の検出の結果を用いずに、前記センサ部による明るさの検出の結果に従って調光制御を行う明るさ検出モード、および（ｃ）前記センサ部による明るさの検出の結果及び前記センサ部による人の検出の結果を用いずに、調光率を一定の値に維持する調光制御を行う調光率一定モードのうちの、前記制御情報に示される一つのモードに、他のモードから切り替えて動作する調光制御部とを有し、
前記明るさ検出モードでは、前記センサ部による明るさの検出の結果と目標値との比較を行うことで、前記センサ部による明るさの検出の結果が前記目標値に近づくように、前記調光制御を行う、
照明システム。
【請求項２】
前記スケジュール情報は、
前記複数の照明制御装置のうちの第一照明制御装置への指示と前記時刻とが対応付けられた第一スケジュール情報と、
前記複数の照明制御装置のうちの前記第一照明制御装置とは異なるアドレスが割り当てられた第二照明制御装置への指示と前記時刻とが対応付けられた第二スケジュール情報とを含み、
前記指示制御部は、
前記カウンタ値に示される時刻に対応付けられた指示を前記第一スケジュール情報から特定した場合、特定した前記指示、および、前記第一照明制御装置に割り当てられたアドレスを含む前記制御情報を前記第一通信部に送信させ、
前記カウンタ値に示される時刻に対応付けられた指示を前記第二スケジュール情報から特定した場合、特定した前記指示、および、前記第二照明制御装置に割り当てられたアドレスを含む前記制御情報を前記第一通信部に送信させる
請求項１記載の照明システム。
【請求項３】
前記指示制御部は、特定した前記指示が前記人検出モードを示す場合、人の検出時における人の状態に応じた調光率、または、人の非検出時の調光率をパラメータとして含む前記制御情報を前記第一通信部に送信させ、
前記調光制御部は、前記制御情報に示されるアドレスが前記自己アドレスと一致し、かつ、前記制御情報が前記人検出モードを示す場合、前記パラメータである、前記センサ部による人の検出の結果に応じた調光率を用いて前記調光制御を行う
請求項１または２に記載の照明システム。
【請求項４】
前記指示制御部は、特定した前記指示が前記明るさ検出モードを示す場合、目標の明るさを示す目標値をパラメータとして含む前記制御情報を前記第一通信部に送信させ、
前記調光制御部は、前記制御情報に示されるアドレスが前記自己アドレスと一致し、かつ、前記制御情報が前記明るさ検出モードを示す場合、前記センサ部に検出される明るさが、前記パラメータである前記目標値に近づくように前記調光制御を行う
請求項１〜３のいずれか１項に記載の照明システム。
【請求項５】
前記タイマは、年月日のうちの少なくとも月日と、前記時刻とを示す前記カウンタ値を出力し、
前記スケジュール記憶部にはさらに、複数の期間それぞれに対応付けられた前記パラメータを示すパラメータ情報が記憶されており、
前記指示制御部は、前記カウンタ値に示される月または日が含まれる期間に対応する前記パラメータを前記パラメータ情報から読み出し、読み出した前記パラメータを含む前記制御情報を前記第一通信部に送信させる
請求項３または４に記載の照明システム。
【請求項６】
前記スケジュール情報は、前記複数の照明制御装置への指示と、前記時刻に紐付けられる識別子とが対応付けられており、
前記タイマは、年月日のうちの少なくとも月日と、前記時刻とを示す前記カウンタ値を出力し、
前記スケジュール記憶部にはさらに、複数の期間それぞれに対応付けられた、前記識別子ごとの時間帯を示す時間帯情報が記憶されており、
前記指示制御部は、前記カウンタ値に示される月または日が含まれる期間と、前記カウンタ値に示される前記時刻とに対応する識別子を、前記時間帯情報から読み出し、読み出
した識別子に対応する前記指示を、前記スケジュール情報から特定する
請求項１〜４のいずれか１項に記載の照明システム。
【請求項７】
前記第一通信部はさらに、通信端末から送信される、前記照明器具の動作を制御するための設定情報を受信し、
前記指示制御部はさらに、前記第一通信部が受信した前記設定情報を用いて前記スケジュール情報を生成または更新し、生成または更新した前記スケジュール情報を、前記スケジュール記憶部に記憶させる
請求項１〜６のいずれか１項に記載の照明システム。
【請求項８】
前記第一通信部はさらに、前記スケジュール記憶部に記憶されている前記スケジュール情報の少なくとも一部を、通信端末に送信する
請求項１〜６のいずれか１項に記載の照明システム。
【請求項９】
前記複数の照明制御装置のうちの１つの照明制御装置が有する前記第二通信部はさらに、当該照明制御装置が有する前記調光制御部が実行中のモードが、前記人検出モード、前記明るさ検出モード、および、調光率一定モードのうちのいずれであるかを示すモード情報を、通信端末に送信する
請求項１〜６のいずれか１項に記載の照明システム。
【請求項１０】
前記複数の照明制御装置は、それぞれに器具アドレスが割り当てられた２以上の前記照明器具と接続されている照明制御装置を含み、
前記照明制御装置が有する前記調光制御部は、複数の前記器具アドレスのうちの少なくとも１つの器具アドレスと、調光率を示す情報とを含む指示情報を、２以上の前記照明器具に送信することで、前記少なくとも１つの器具アドレスに対応する少なくとも１つの前記照明器具の前記調光制御を行い、
２以上の前記照明器具それぞれの前記点灯制御部は、前記指示情報を受信し、前記指示情報に示される前記少なくとも１つの器具アドレスのうちの１つが、当該照明器具の器具アドレスと一致する場合、前記指示情報に示される前記調光率で、当該照明器具が有する前記光源を点灯させる
請求項１〜９のいずれか１項に記載の照明システム。
【請求項１１】
それぞれが１以上の照明器具の調光制御を行う複数の照明制御装置と、前記複数の照明制御装置を制御するシステム制御装置とを備える照明システムの制御方法であって、
前記システム制御装置は、時刻を示すカウンタ値を出力するタイマ、および、前記複数の照明制御装置への指示と、時刻とが対応付けられたスケジュール情報を記憶するためのスケジュール記憶部とを有し、
前記複数の照明制御装置のそれぞれは、当該照明制御装置に割り当てられたアドレスである自己アドレスを記憶するアドレス記憶部と、前記照明器具が配置された空間における人の検出および明るさの検出を行うセンサ部を有し、
前記制御方法は、
前記システム制御装置が、前記カウンタ値に示される時刻に対応付けられた指示を前記スケジュール情報から特定する特定ステップと、
前記システム制御装置が、特定した前記指示、および、前記複数の照明制御装置のうちの少なくとも１つの照明制御装置に割り当てられたアドレスを含む制御情報を前記複数の照明制御装置に送信する送信ステップと、
前記複数の照明制御装置のそれぞれが、前記システム制御装置から送信される前記制御情報を受信する受信ステップと、
前記複数の照明制御装置のそれぞれが、前記制御情報に示されるアドレスが、前記自己アドレスと一致する場合、（ａ）前記センサ部による明るさの検出の結果を用いずに、かつ、前記センサ部による人の検出の結果に従って調光制御を行う人検出モード、（ｂ）前記センサ部による人の検出の結果を用いずに、前記センサ部による明るさの検出の結果に従って調光制御を行う明るさ検出モード、および（ｃ）前記センサ部による明るさの検出の結果及び前記センサ部による人の検出の結果を用いずに、調光率を一定の値に維持する調光制御を行う調光率一定モードのうちの、前記制御情報に示される一つのモードに、他のモードから切り替えて動作するモード切替ステップとを含み、
前記明るさ検出モードでは、前記センサ部による明るさの検出の結果と目標値との比較を行うことで、前記センサ部による明るさの検出の結果が前記目標値に近づくように、前記調光制御を行う、
照明システムの制御方法。
【発明の詳細な説明】
【技術分野】
【０００１】
本発明は、照明器具の調光制御が可能な照明システムに関する。
【背景技術】
【０００２】
従来、天井に配設されたＬＥＤ照明等の照明器具の調光率を制御する照明システムが存在する。
【０００３】
例えば、特許文献１記載の調光制御システムでは、調光制御親機が、調光制御端末機に、照明器具の発光量を調整するための制御目標値を送信する。また、調光制御親機は、制御目標値とその開始時刻とを対応付けて運用スケジュールとして記憶しており、現在時刻がその開始時刻となった場合、当該制御目標値を調光制御端末機に送信する。
【先行技術文献】
【特許文献】
【０００４】
【特許文献１】特開２００４−３４９０６５号公報
【発明の概要】
【発明が解決しようとする課題】
【０００５】
上記従来の技術によれば、予め設定されたスケジュールに従って、ある時刻における照明器具の照度が、当該時刻における制御目標値に近づくように、照明器具の発光量が調整される。
【０００６】
しかしながら、照明器具の発光量は、現在時刻だけでなく、各種の環境項目の中から適切に選択された環境項目に応じて変化または維持させることが、例えば、省エネルギーの観点から望ましい。
【０００７】
また、複数の照明器具を用いて比較的に広い領域に照明光を提供する照明システムでは、例えば部分領域ごとに環境光の影響の大きさ異なる場合があり。この場合、当該領域を適切に照らすために、複数の照明器具をどのように調光制御すべきかの問題が生じる。
【０００８】
本発明は、上記従来の課題を考慮し、複数の照明器具が設置された環境に応じて、複数の照明器具を適切に調光することのできる照明システムおよびその制御方法を提供することを目的とする。
【課題を解決するための手段】
【０００９】
本発明の一態様に係る照明システムは、複数の照明器具であって、それぞれが、光源および前記光源を点灯させる点灯制御部を有する照明器具と、複数の照明制御装置であって、それぞれが、前記複数の照明器具のうちの１以上の照明器具の点灯制御部を制御することで前記１以上の照明器具の調光制御を行う複数の照明制御装置と、前記複数の照明制御装置を制御するシステム制御装置とを備える照明システムであって、前記システム制御装置は、時刻を示すカウンタ値を出力するタイマと、前記複数の照明制御装置への指示と、時刻とが対応付けられたスケジュール情報を記憶するためのスケジュール記憶部と、前記複数の照明制御装置に情報を送信する第一通信部と、前記カウンタ値に示される時刻に対応付けられた指示を前記スケジュール情報から特定し、特定した前記指示、および、前記複数の照明制御装置のうちの少なくとも１つの照明制御装置に割り当てられたアドレスを含む制御情報を前記第一通信部に送信させる指示制御部とを有し、前記複数の照明制御装置のそれぞれは、当該照明制御装置の調光制御の対象である１以上の照明器具が配置された空間における人の検出および明るさの検出を行うセンサ部と、前記システム制御装置から送信される前記制御情報を受信する第二通信部と、当該照明制御装置に割り当てられたアドレスである自己アドレスを記憶するアドレス記憶部と、前記第二通信部が受信した前記制御情報に示されるアドレスが、前記自己アドレスと一致する場合、（ａ）前記センサ部による人の検出の結果に従って調光制御を行う人検出モード、（ｂ）前記センサ部による明るさの検出の結果に従って調光制御を行う明るさ検出モード、および（ｃ）調光率を一定の値に維持する調光制御を行う調光率一定モードのうちの、前記制御情報に示される一つのモードに、他のモードから切り替えて動作する調光制御部とを有する。
【００１０】
また、本発明の一態様に係る照明システムの制御方法は、それぞれが１以上の照明器具の調光制御を行う複数の照明制御装置と、前記複数の照明制御装置を制御するシステム制御装置とを備える照明システムの制御方法であって、前記システム制御装置は、時刻を示すカウンタ値を出力するタイマ、および、前記複数の照明制御装置への指示と、時刻とが対応付けられたスケジュール情報を記憶するためのスケジュール記憶部とを有し、前記複数の照明制御装置のそれぞれは、当該照明制御装置に割り当てられたアドレスである自己アドレスを記憶するアドレス記憶部と、前記照明器具が配置された空間における人の検出および明るさの検出を行うセンサ部を有し、前記制御方法は、前記システム制御装置が、前記カウンタ値に示される時刻に対応付けられた指示を前記スケジュール情報から特定する特定ステップと、前記システム制御装置が、特定した前記指示、および、前記複数の照明制御装置のうちの少なくとも１つの照明制御装置に割り当てられたアドレスを含む制御情報を前記複数の照明制御装置に送信する送信ステップと、前記複数の照明制御装置のそれぞれが、前記システム制御装置から送信される前記制御情報を受信する受信ステップと、前記複数の照明制御装置のそれぞれが、前記制御情報に示されるアドレスが、前記自己アドレスと一致する場合、（ａ）前記センサ部による人の検出の結果に従って調光制御を行う人検出モード、（ｂ）前記センサ部による明るさの検出の結果に従って調光制御を行う明るさ検出モード、および（ｃ）調光率を一定の値に維持する調光制御を行う調光率一定モードのうちの、前記制御情報に示される一つのモードに、他のモードから切り替えて動作するモード切替ステップとを含む。
【発明の効果】
【００１１】
本発明の一態様に係る照明システムによれば、複数の照明器具が設置された環境に応じて、複数の照明器具を適切に調光することができる。
【図面の簡単な説明】
【００１２】
【図１Ａ】実施の形態に係る照明システムの構成概要を示す図
【図１Ｂ】実施の形態に係るサブシステムの構成概要を示す図
【図２】実施の形態に係る照明システムの機能的な構成を示すブロック図
【図３】実施の形態に係る照明システムの基本的な動作の流れを示すシーケンス図
【図４】実施の形態に係るスケジュール情報の一例を示す図
【図５】実施の形態に係る照明制御装置の動作の流れの一例を示す第１の図
【図６】実施の形態に係る照明制御装置の動作の流れの一例を示す第２の図
【図７】実施の形態の変形例１に係るスケジュール情報およびパラメータ情報の一例を示す図
【図８】実施の形態の変形例２に係るスケジュール情報および時間帯情報の一例を示す図
【図９】実施の形態の変形例３に係るシステム制御装置と通信端末とを示す図
【図１０】実施の形態の変形例３に係る通信端末が表示する照明システム設定画面の一例を示す図
【図１１】実施の形態の変形例４に係るシステム制御装置と通信端末とを示す図
【図１２】実施の形態の変形例４に係る通信端末が表示するスケジュール確認画面の一例を示す図
【図１３】実施の形態の変形例５に係る照明制御装置と通信端末とを示す図
【図１４】実施の形態の変形例５に係る通信端末が表示するモード確認画面の一例を示す図
【図１５】実施の形態の変形例５に係るサブシステムにおける指示情報の流れを示す図
【発明を実施するための形態】
【００１３】
以下、実施の形態に係る照明システムについて、図面を参照しながら説明する。なお、以下に説明する実施の形態およびその変形例のそれぞれは、本発明の一具体例を示すものである。したがって、以下の実施の形態および変形例で示される、数値、形状、材料、構成要素、構成要素の配置位置および接続形態などは、一例であって本発明を限定する主旨ではない。よって、以下の実施の形態および変形例における構成要素のうち、本発明の最上位概念を示す独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付しており、重複する説明は省略または簡略化される場合がある。
【００１５】
（実施の形態）
以下、実施の形態に係る照明システムについて説明する。
【００１６】
［照明システムの構成］
まず、図１Ａ、図１Ｂ、および図２を用いて、実施の形態に係る照明システムの構成について説明する。
【００１７】
図１Ａは、実施の形態に係る照明システム１００の構成概要を示す図であり、図１Ｂは、実施の形態に係るサブシステム１０１ａの構成概要を示す図である。
【００１８】
具体的には、図１Ａは、照明システム１００の構成要素のレイアウトの一例を示す上面図であり、図１Ｂは、照明システム１００の一部であるサブシステム１０１ａの側面図である。なお、図１Ｂにおいて、照明制御装置１２０と各照明器具１５０とを接続する配線の図示は省略されている。
【００１９】
また、照明システム１００は、例えばオフィスビル内の一室等の、照明が必要な空間（部屋）に設置されるシステムであるが、図１Ａおよび図１Ｂでは、当該空間に存在し得る什器および人物等の物体の図示は省略されている。
【００２０】
図２は、実施の形態に係る照明システム１００の機能的な構成を示すブロック図である。
【００２１】
これらの図に示すように、実施の形態に係る照明システム１００は、複数の照明器具１５０と、複数の照明制御装置１２０と、システム制御装置１１０とを備える。
【００２２】
具体的には、本実施の形態では、照明システム１００は４つのサブシステム（１０１ａ〜１０１ｄ）を有し、各サブシステム（１０１ａ〜１０１ｄ）は、１つの照明制御装置１２０と、４つの照明器具１５０とを有する。
【００２３】
ここで、図１Ａでは、照明システム１００は、Ａ〜Ｄが付された４つの照明制御装置１２０（以下、「照明制御装置Ａ（Ｂ、Ｃ、またはＤ）」とも表記する）を備えているが、照明システム１００が備える照明制御装置１２０の数は２以上であればよい。つまり、照明システム１００は、１つの照明制御装置１２０と１以上の照明器具１５０とを含むサブシステムを２以上備えればよい。なお、図１Ａにおいて、Ａ〜Ｄそれぞれの横に付された括弧内の“０１”または“０２”は、各照明制御装置１２０に割り当てられたアドレスの例である。
【００２４】
また、サブシステム１０１ｂ〜１０１ｄのそれぞれは、サブシステム１０１ａと共通する構成を有しているため、以下では、サブシステム１０１ｂ〜１０１ｄについての詳細な説明は省略する。
【００２５】
照明器具１５０は、光源１５５、および、光源１５５を点灯させる点灯制御部１５２を有する。
【００２６】
照明器具１５０は、例えば、１以上のＬＥＤ（Ｌｉｇｈｔ  Ｅｍｉｔｔｉｎｇ  Ｄｉｏｄｅ）を有する発光装置を光源１５５として備えるシーリングライトである。この場合、点灯制御部１５２は、例えば、当該発光装置の点灯、消灯、および調光等の動作を制御する駆動回路（点灯回路）である。
【００２７】
システム制御装置１１０は、複数の照明制御装置１２０を制御する装置である。システム制御装置１１０は、時刻を示すカウンタ値を出力するタイマ１１１と、スケジュール情報２００を記憶するためのスケジュール記憶部１１２と、複数の照明制御装置１２０に情報を送信する第一通信部１１５と、指示制御部１１４とを有する。
【００２８】
スケジュール情報２００は、複数の照明制御装置１２０への指示と、時刻とが対応付けられた情報である。スケジュール情報２００の例は、図４を用いて後述する。
【００２９】
指示制御部１１４は、タイマ１１１が出力するカウンタ値に示される時刻に対応付けられた指示をスケジュール情報２００から特定する。指示制御部１１４はさらに、特定した指示、および、複数の照明制御装置１２０のうちの少なくとも１つの照明制御装置１２０に割り当てられたアドレスを含む制御情報１１９を第一通信部１１５に送信させる。これにより、制御情報１１９は複数の照明制御装置１２０のそれぞれに受信され、当該アドレスが割り当てられた１以上の照明制御装置１２０は制御情報１１９に従った動作を行う。
【００３０】
なお、システム制御装置１１０は、本実施の形態では、図１Ｂに示すように部屋の壁面に配置されている。この場合、システム制御装置１１０は、例えば、照明システム１００の全体の電源のオンおよびオフを行うスイッチ、スケジュール情報２００の作成または更新のためのボタン、および、照明システム１００の状態を示す表示パネル等を備えてもよい。
【００３１】
本実施の形態では、例えば操作パネルと呼ばれる装置として、システム制御装置１１０が配置されており、ユーザによる上記ボタン等の操作により、スケジュール情報２００の生成または更新が行われる。なお、スマートフォン等の通信端末からの情報によってスケジュール情報２００の生成または更新が行われてもよい。この態様については、変形例３として後述する。
【００３２】
また、システム制御装置１１０の配置位置に特に限定はなく、例えば、天井裏などの、人目に触れない場所に配置されてもよい。この場合、例えば、リモコンまたは携帯端末等と第一通信部１１５とが無線通信または有線通信を行うことで、ユーザからの各種の指示をシステム制御装置１１０が受け取ることができる。
【００３３】
照明制御装置１２０は、１以上の照明器具１５０の点灯制御部１５２を制御することで、当該１以上の照明器具１５０の調光制御を行う装置である。照明制御装置１２０は、例えば、点灯制御部１５２に調光率を指示することで、照明器具１５０を当該調光率で点灯させる制御（調光制御）を行うことができる。
【００３４】
なお、調光率とは、照明の明るさを調整するための変数の一種であり、数値が大きいほど（最大値は１００％）、照明の明るさを増加させることのできる変数である。また、調光率は、例えば“調光レベル”または“調光比”等と表現することもできる。
【００３５】
例えば、照明制御装置１２０が、照明器具１５０に調光率“１００％”を指示する場合、調光率“１００％”に対応する指示情報が照明制御装置１２０から照明器具１５０へ送信される。照明器具１５０の点灯制御部１５２は、当該指示情報に従い、光源１５５の光出力が最大となるように光源１５５を制御する。
【００３６】
なお、点灯制御部１５２は、例えばＰＷＭ（Ｐｕｌｓｅ  Ｗｉｄｔｈ  Ｍｏｄｕｌａｔｉｏｎ）信号に応じて光源１５５の光出力を制御するが、当該制御の手法に特に限定はなく、照明器具１５０における調光制御がデジタル信号によってなされてもよい。
【００３７】
また、例えば、光源１５５が複数の電球などの複数の発光体で構成される場合、複数の発光体のうちの点灯させる発光体の数を変更することで、光源１５５の調光制御が行われてもよい。
【００３８】
本実施の形態では、照明制御装置１２０は、４つの照明器具１５０と信号線で接続されており（図１Ａ参照）、照明制御装置１２０が、調光率を示す信号（指示情報）を信号線に流すことで、これら４つの照明器具１５０を当該調光率で点灯させることができる。
【００３９】
より詳細には、照明制御装置１２０は、センサ部１２１と、照明制御装置１２０に割り当てられたアドレスである自己アドレスを記憶するアドレス記憶部１２２と、制御情報１１９を受信する第二通信部１２５と、調光制御部１２４とを有する。
【００４０】
センサ部１２１は、調光制御の対象である１以上の照明器具１５０が配置された空間における人の検出および明るさの検出を行う装置である。本実施の形態では撮像装置を有し、撮像装置が撮像することで得られた画像データから、人の検出および明るさの検出を行うことができる装置である。
【００４１】
センサ部１２１は、例えば、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）イメージセンサ等の固体撮像素子によって、対象の室内空間を撮像し、その撮像結果である画像データから人の検出および明るさの検出を行う。
【００４２】
なお、センサ部１２１の構成に特に限定はなく、例えば、互いに別体の２つのセンサである、人の検出を行う人感センサと、明るさの検出を行う照度センサとによって構成されていてもよい。
【００４３】
調光制御部１２４は、センサ部１２１の検出結果を利用するモードを含め、各種のモードで調光制御を行うことが可能であり、かつ、これらモードの相互間の切り替えを、システム制御装置１１０からの指示に応じて行う点に特徴を有している。
【００４４】
具体的には、調光制御部１２４は、第二通信部１２５が受信した制御情報１１９に示されるアドレスが、アドレス記憶部１２２に記憶されている自己アドレスと一致する場合、以下の動作を行う。調光制御部１２４は、（ａ）センサ部１２１による人の検出の結果に従って調光制御を行う人検出モード、（ｂ）センサ部１２１による明るさの検出の結果に従って調光制御を行う明るさ検出モード、および（ｃ）調光率を一定の値に維持する調光制御を行う調光率一定モードのうちの、第二通信部１２５が受信した制御情報１１９に示される一つのモードに、他のモードから切り替えて動作する。
【００４５】
なお、制御情報１１９に示されるアドレスが自己アドレスと一致しない場合、その制御情報１１９に含まれる指示は無視される。
【００４６】
本実施の形態では、図１Ａに示すように、照明制御装置ＡおよびＢには、アドレス“０１”が割り当てられ、照明制御装置ＣおよびＤには、アドレス“０２”が割り当てられている。この場合、図２に示すように、制御情報１１９に、アドレス“０１”が含まれているとき、照明制御装置ＡおよびＢは、制御情報１１９に示される指示である“人検出モード”等に従って動作する。また、照明制御装置ＡおよびＢは制御情報１１９に含まれる指示を無視する。
【００４７】
なお、アドレス“０１”が割り当てられた照明制御装置１２０（ＡおよびＢ）は、第一照明制御装置の一例であり、アドレス“０２”が割り当てられた照明制御装置１２０（ＣおよびＤ）は、第二照明制御装置の一例である。
【００４８】
このように、調光制御部１２４は、１以上の照明器具１５０の明るさを変化させる調光制御において、人の存在の有無に着目するか、検出された明るさに着目するか、および、所定の調光率の維持を目的とするか、をスケジュールに従って切り替える機能を有している。
【００４９】
ここで、例えば図１Ａにおいて点線の矩形で示される照明領域５００は、照明システム１００が備える１６個の照明器具１５０からの照明光が供給される領域である。本実施の形態では、照明領域５００は、４つのサブシステム（１０１ａ〜１０１ｄ）が天井に配置された１つの部屋の内部領域として規定することができる。
【００５０】
また、照明領域５００は、４つのサブシステム（１０１ａ〜１０１ｄ）のそれぞれに対応する副領域（５０１ａ〜５０１ｄ）に区分される。例えば、副領域５０１ａは、サブシステム１０１ａが有する照明制御装置Ａの調光制御の対象である１以上（本実施の形態では４つ）の照明器具１５０が配置された空間として扱われる。
【００５１】
照明領域５００には、例えば、当該部屋の壁に設けられた窓からの外光が入ってくるため、照明領域５００の明るさは、複数の照明器具１５０それぞれの調光率だけでなく、例えば天気にも依存する。
【００５２】
本実施の形態では、図１Ａにおいて上方に位置する副領域５０１ａおよび５０１ｂは、窓側の領域であり、下方に位置する副領域５０１ｃおよび５０１ｄは、廊下側の領域である。そのため、副領域５０１ａおよび５０１ｂにおける明るさは、太陽光等の外光の影響を受けやすい。
【００５３】
なお、図１Ａおよび図１Ｂに示す、照明システム１００およびサブシステム１０１ａのレイアウトは一例であり、他のレイアウトが採用されてもよい。例えば、サブシステム１０１ａにおいて、センサ部１２１が、いずれかの照明器具１５０に配置されていてもよい。この場合、センサ部１２１を除く照明制御装置１２０（照明制御装置１２０の本体部）は、例えば、天井裏または部屋の壁面等に配置されてもよい。つまり、センサ部１２１と照明制御装置１２０の本体部とが物理的に分離されていてもよい。
【００５４】
さらに、システム制御装置１１０は、複数の照明制御装置１２０のうちの１つの照明制御装置１２０と一体であってもよい。例えば、壁に配置された操作パネル内に、システム制御装置１１０と照明制御装置１２０とが収容されていてもよい。また、例えば、１つの照明器具１５０の器具本体に、システム制御装置１１０と照明制御装置１２０とが収容されていてもよい。
【００５５】
また、本実施の形態に係るシステム制御装置１１０および照明制御装置１２０が有する各種の機能は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、通信インタフェース、Ｉ／Ｏポート、およびハードディスク等を備えるコンピュータ上で実行されるプログラム等のソフトウェアで実現されてもよく、または、電子回路等のハードウェアで実現されてもよい。
【００５６】
［照明システムの動作例］
以上のように構成された照明システム１００の動作について、図３〜図６を用いて説明する。
【００５７】
まず、図３および図４を用いて、照明システム１００の基本的な動作の流れを説明する。
【００５８】
図３は、実施の形態に係る照明システム１００の基本的な動作の流れを示すシーケンス図である。なお、図３に示される照明制御装置１２０の基本的な動作は、照明装置Ａ〜Ｄ（図１Ａ参照）のそれぞれにおいて行われる。
【００５９】
図４は、実施の形態に係るスケジュール情報２００の一例を示す図である。
【００６０】
システム制御装置１１０は、タイマ１１１から出力されるカウンタ値に示される時刻に対応付けられた指示をスケジュール情報２００から特定する（Ｓ１０）。
【００６１】
例えば、指示制御部１１４は、タイマ１１１から出力されるカウンタ値を所定の間隔ごとに取得し、取得したカウンタ値に示される時刻と、スケジュール記憶部１１２から読み出したスケジュール情報２００に示されるモード切替時刻（図４の場合、５時、１０時、１７時、２２時）と比較する。
【００６２】
なお、本実施の形態では、指示制御部１１４に読み出されるスケジュール情報２００は、第一スケジュール情報２０１および第二スケジュール情報２０２を含んでいる。第一スケジュール情報２０１はアドレス“０１”に対応付けられており、第二スケジュール情報２０２はアドレス“０２”に対応付けられている。つまり、本実施の形態において、第一スケジュール情報２０１は、照明制御装置ＡおよびＢへの指示と時刻とが対応付けられた情報である。第二スケジュール情報２０２は、照明制御装置ＣおよびＤへの指示と時刻とが対応付けられた情報である。
【００６３】
指示制御部１１４は、上記比較の結果、取得したカウンタ値に示される時刻が、モード切替時刻のいずれかと一致、または、１日（０時以降かつ次に０時になるまでの間）の中で最初に越えた場合、当該モード切替時刻に対応する指示をスケジュール情報２００から特定する。
【００６４】
例えば、指示制御部１１４が取得したカウンタ値が“５時”を示す場合、第一スケジュール情報２０１および第二スケジュール情報２０２のそれぞれから“人検出モード”（図４参照）を、複数の照明制御装置１２０に通知すべき指示として特定する。
【００６５】
また、本実施の形態では、図４に示すように、第一スケジュール情報２０１および第二スケジュール情報２０２には、人検出モードにおける人の検出時および人の非検出時それぞれの調光率が含まれている。指示制御部１１４は、アドレス“０１”に対応する調光率である“７０％”および“５％”、ならびに、アドレス“０２”に対応する調光率である“１００％”および“２０％を、パラメータとして特定する。
【００６６】
システム制御装置１１０はさらに、特定した指示を含む制御情報１１９を複数の照明制御装置１２０に送信する（Ｓ１１）。
【００６７】
具体的には、指示制御部１１４は、アドレス“０１”と、上記のように特定した指示（“人検出モード”、“７０％”および“５％”）とを含む制御情報１１９を、第一通信部１１５に送信させる。また、指示制御部１１４は、アドレス“０２”と、上記のように特定した指示（“人検出モード”、“１００％”および“２０％”）とを含む制御情報１１９を、第一通信部１１５に送信させる。
【００６８】
照明制御装置１２０は、システム制御装置１１０から送信される制御情報１１９を受信する（Ｓ２０）。
【００６９】
具体的には、第二通信部１２５が制御情報１１９を受信し、受信した制御情報１１９は調光制御部１２４に渡される。
【００７０】
照明制御装置１２０は、制御情報１１９に示されるアドレスと、アドレス記憶部１２２に記憶されている自己アドレスとが一致するかを確認する（Ｓ２１）。この確認の結果、制御情報１１９に示されるアドレスと自己アドレスとが一致する場合（Ｓ２１でＹｅｓ）、検出モード、明るさ検出モード、および調光率一定モードのうちの、制御情報１１９に示される一つのモードに、他のモードから切り替えて動作する（Ｓ２２）。
【００７１】
また、制御情報１１９に示されるアドレスと自己アドレスとが一致しない場合（Ｓ２１でＮｏ）、モードの切り替えは行わず、その時点で実行中のモードを継続して実行する。
【００７２】
以上のように、システム制御装置１１０が、スケジュール情報２００に従ったタイミングで、各々がアドレスを有する複数の照明制御装置１２０に制御情報１１９を送信する。制御情報１１９には、制御情報１１９に示される指示に従って動作すべき１以上の照明制御装置１２０のアドレスが含まれている。
【００７３】
これにより、複数の照明制御装置１２０のそれぞれは、スケジュール情報２００に従ったタイミングで、調光制御のモードを切り替えることができる。
【００７４】
次に、照明制御装置１２０の動作例を、図５および図６を用いて説明する。
【００７５】
図５は、実施の形態に係る照明制御装置１２０の動作の流れの一例を示す第１の図であり図６は、実施の形態に係る照明制御装置１２０の動作の流れの一例を示す第２の図である。
【００７６】
具体的には、図５は、照明制御装置１２０が人検出モードで動作する場合の処理手順を示し、図６は、照明制御装置１２０が明るさ検出モードで動作する場合の処理手順を示している。また、図５および図６に示す動作は、本実施の形態における４つの照明制御装置１２０（Ａ〜Ｄ）のそれぞれが、他の照明制御装置１２０とは独立して実行することができる動作である。
【００７７】
また、以下の図５についての説明では、アドレス“０１”が割り当てられた照明制御装置１２０（ＡおよびＢのそれぞれ）が、アドレス“０１”および指示（“人検出モード”、“７０％”および“５％”）を含む制御情報１１９を受信した場合の動作例を説明する。
【００７８】
照明制御装置１２０は、受信した制御情報１１９であって、自己アドレスを含む制御情報１１９が人検出モードを示す場合、センサ部１２１による人の検出の結果に応じて１以上（本実施の形態では４つ）の照明器具１５０の調光率を変化させる。
【００７９】
具体的には、図５に示すように、センサ部１２１の検出結果が人を検出したことを示す場合（Ｓ１１０でＹｅｓ）、照明制御装置１２０の調光制御部１２４は、調光率“７０％”で点灯させるための信号（指示情報）を、４つの照明器具１５０に送信する（Ｓ１１１）。
【００８０】
その結果、４つの照明器具１５０のそれぞれは、調光率“７０％”で光源１５５を点灯させる。
【００８１】
また、センサ部１２１の検出結果が人を検出したことを示さない場合（Ｓ１１０でＮｏ）、つまり、非検出の場合、調光制御部１２４は、調光率“５％”で点灯させるための信号（指示情報）を、４つの照明器具１５０に送信する（Ｓ１１２）。
【００８２】
その結果、４つの照明器具１５０のそれぞれは、調光率“５％”で光源１５５を点灯させる。
【００８３】
なお、アドレス“０２”が割り当てられた照明制御装置１２０（ＣおよびＤのそれぞれ）が、アドレス“０２”および指示（“人検出モード”、“１００％”および“２０％”）を含む制御情報１１９を受信した場合は、上記動作と以下の点で異なる。すなわち、センサ部１２１の検出結果が人を検出したことを示す場合（Ｓ１１０でＹｅｓ）、照明制御装置１２０の調光制御部１２４は、調光率“１００％”で点灯させるための信号（指示情報）を、４つの照明器具１５０に送信する（Ｓ１１１）。また、センサ部１２１の検出結果が人を検出したことを示さない場合（Ｓ１１０でＮｏ）、調光制御部１２４は、調光率“２０％”で点灯させるための信号（指示情報）を、４つの照明器具１５０に送信する（Ｓ１１２）。
【００８４】
本実施の形態に係る照明制御装置１２０では、上記のように、人の検出および非検出に応じて、１以上の照明器具１５０の調光率を２段階で変化させる制御が人検出モードにおいて実行される。また、他モードへの切り替えが生じない場合（Ｓ１１３でＮｏ）、人検出モードによる調光制御が継続して行われる。その後、照明制御装置１２０の第二通信部１２５が受信した制御情報１１９が、他モードを示す場合、当該他モードに動作が切り替えられる（Ｓ１１３でＹｅｓ）。
【００８５】
例えば、時刻が午前１０時になった場合、システム制御装置１１０は、スケジュール情報２００に含まれる、アドレス“０１”に対応付けられた第一スケジュール情報２０１から、“明るさ検出モード”を特定する（図４参照）。
【００８６】
システム制御装置１１０は、アドレス“０１”および指示“明るさ検出モード”を示す制御情報１１９が、照明制御装置１２０に送信される。また、この制御情報１１９には、当該指示の一部であるパラメータとして、例えば、明るさの目標値である“５００ルクス（ｌｘ）”を示す情報が含まれる（図３のＳ１０、Ｓ１１、および図４参照）。
【００８７】
その結果、アドレス“０１”を自己アドレスとして有する照明制御装置１２０（ＡおよびＢのそれぞれ）は、調光制御のモードを、人検出モードから明るさ検出モードに切り替える。
【００８８】
この場合、照明制御装置１２０は、センサ部１２１による明るさの検出の結果に応じて１以上の照明器具１５０の調光率を変化させる。
【００８９】
具体的には、図６に示すように、センサ部１２１の検出結果に示される明るさ（本実施の形態では照度）が、目標値“５００ｌｘ”と一致しない場合（Ｓ１２０でＮｏ）、検出結果の明るさと、目標値“５００ｌｘ”との大小関係に応じて調光率が変更される。
【００９０】
つまり、調光制御部１２４は、検出結果の明るさが目標値“５００ｌｘ”よりも小さい場合（Ｓ１２１でＹｅｓ）、４つの照明器具１５０に対して調光率を上げる制御を行う（Ｓ１２２）。例えば、４つの照明器具１５０に最後に指示した調光率が７０％である場合、調光制御部１２４は、７０％よりも高い調光率（例えば７５％）で点灯させるための信号（指示情報）を、４つの照明器具１５０に送信する。
【００９１】
また、調光制御部１２４は、検出結果の明るさが目標値“５００ｌｘ”よりも大きい場合（Ｓ１２１でＮｏ）、４つの照明器具１５０に対して調光率を下げる制御を行う（Ｓ１２３）。例えば、４つの照明器具１５０に最後に指示した調光率が７０％である場合、調光制御部１２４は、７０％よりも低い調光率（例えば６５％）で点灯させるための信号（指示情報）を、４つの照明器具１５０に送信する。
【００９２】
なお、アドレス“０２”が割り当てられた照明制御装置１２０（ＣおよびＤ）は、制御情報１１９を受信するが、制御情報１１９にアドレス“０２”が含まれないため、制御情報１１９に含まれる“明るさ検出モード”等の指示は無視される。つまり、照明制御装置１２０（ＣおよびＤ）は、午前１０時以降も“人検出モード”を継続して実行する。
【００９３】
本実施の形態に係る照明制御装置１２０では、上記のように、制御対象である１以上の照明器具１５０が配置された空間における明るさを検出し、検出した明るさが目標値に近づくように、１以上の照明器具１５０の調光率を変化させる制御が、明るさ検出モードにおいて実行される。また、他モードへの切り替えが生じない場合（Ｓ１２５でＮｏ）、明るさ検出モードによる調光制御が継続して行われる。
【００９４】
その後、照明制御装置１２０の第二通信部１２５が受信した制御情報１１９が、他モードを示す場合、当該他モードに動作が切り替えられる（Ｓ１２５でＹｅｓ）。
【００９５】
例えば、時刻が午後５時（１７時）になった場合、システム制御装置１１０から、アドレス“０１”と指示（“人検出モード”、“１００％”および“２０％”）とを含む制御情報１１９“が、複数の照明制御装置１２０に送信される（図３のＳ１０、Ｓ１１、および図４参照）。
【００９６】
その結果、アドレス“０１”を自己アドレスとして有する照明制御装置１２０（ＡおよびＢのそれぞれ）は、調光制御のモードを、明るさ検出モードから人検出モードに切り替える。この場合、照明制御装置１２０は、センサ部１２１による人の検出の結果に応じて４つの照明器具１５０の調光率を変化させる。具体的には、人の検出時には各照明器具１５０の調光率が“１００％”に制御され、人の非検出時には各照明器具１５０の調光率が“２０％”に制御される。
【００９７】
さらにその後、例えば、時刻が午後１０時（２２時）になった場合、システム制御装置１１０から、アドレス“０１”および指示“調光率一定モード”を示す制御情報１１９が、複数の照明制御装置１２０に送信される。また、システム制御装置１１０から、アドレス“０１”および指示“調光率一定モード”を示す制御情報１１９が、複数の照明制御装置１２０に送信される。これら制御情報１１９には、当該指示の一部であるパラメータとして、例えば、調光率“０％”を示す情報が含まれる（図３のＳ１０、Ｓ１１、および図４参照）。
【００９８】
なお、このように複数のアドレスに対応する複数の照明制御装置１２０に、共通する指示を与える場合、宛先のアドレスとして当該複数のアドレスを含む制御情報１１９が、システム制御装置１１０から複数の照明制御装置１２０に送信されてもよい。
【００９９】
複数の照明制御装置１２０（Ａ〜Ｄのそれぞれ）は、受信した制御情報１１９が、自己アドレスである“０１”または“０２”を含んでいるため、制御情報１１９に示される指示に従って動作する。すなわち、各照明制御装置１２０の調光制御部１２４は、調光率“０％”で点灯させるための信号（指示情報）を、４つの照明器具１５０に送信する。つまり、各照明制御装置１２０は、４つの照明器具１５０のそれぞれを消灯させるための指示情報を４つ照明器具１５０に送信し、４つ照明器具１５０のそれぞれは、その指示情報に応じて光源１５５を消灯させる。
【０１００】
なお、図６に示す動作において、調光制御部１２４は、センサ部１２１の検出結果に示される明るさと目標値とが厳密に一致しているか否かを判断しなくてもよい。例えば、検出結果に示される明るさが、目標値に対してプラスマイナス数％（例えば５％）の範囲内である場合、調光制御部１２４は、検出結果に示される明るさと、目標値とが一致している（Ｓ１２０でＹｅｓ）と判断してもよい。
【０１０１】
また、この場合、検出結果に示される明るさ（を示す値）が、目標値よりも小さいか否かの判断（Ｓ１２１）においても、同様の判断がなされてもよい。つまり、検出結果に示される明るさが、例えば目標値の９５％よりも小さい場合に、当該明るさ（を示す値）が目標値よりも小さい（Ｓ１２１でＹｅｓ）と判断してもよい。
【０１０２】
このように、検出結果の明るさが、目標値を含む所定範囲内に入るように行われるフィードバック制御（Ｓ１２０、Ｓ１２１、Ｓ１２２、Ｓ１２３）は、検出結果に示される明るさを目標値に近づかせる調光制御の一例である。
【０１０３】
以上説明したように、本実施の形態に係る照明システム１００は、複数の照明器具１５０と、それぞれが１以上の照明器具１５０についての調光制御を行う複数の照明制御装置１２０と、複数の照明制御装置１２０を制御するシステム制御装置１１０とを備える。
【０１０４】
システム制御装置１１０は、タイマ１１１のカウンタ値に示される時刻と、スケジュール情報２００とから、少なくとも１つの照明制御装置１２０に通知すべき指示を特定する。システム制御装置１１０はさらに、当該少なくとも１つの照明制御装置１２０のアドレスと、特定した指示とを含む制御情報１１９を、複数の照明制御装置１２０に送信する。
【０１０５】
複数の照明制御装置１２０のそれぞれは、調光制御の対象である１以上の照明器具１５０が配置された空間における人の検出および明るさの検出を行うセンサ部１２１と、制御情報１１９を受信する第二通信部１２５と、調光制御部１２４と、自己アドレスを記憶するアドレス記憶部１２２とを有する。
【０１０６】
調光制御部１２４は、第二通信部１２５が受信した制御情報１１９に示されるアドレスが、自己アドレスと一致する場合、制御情報１１９に示される指示に従って調光制御のモードを切り替える。具体的には、調光制御部１２４は、人検出モード、明るさ検出モード、および調光率一定モードのうちの、制御情報１１９に示される一つのモードに、他のモードから切り替えて動作する。
【０１０７】
これにより、システム制御装置１１０は、複数の照明制御装置１２０のそれぞれを、例えば時間帯ごとに異なるモードで調光制御するように、他の照明制御装置１２０とは独立して制御することができる。
【０１０８】
例えば、朝の時間帯は、各照明制御装置１２０では、人の存在の有無に着目した動作モードである人検出モードで１以上の照明器具１５０の調光制御が行われる。従って、各照明制御装置１２０は、対象の空間（副領域５０１ａ〜５０１ｄのいずれか）に人が存在する場合は、１以上の照明器具１５０の調光率を比較的に大きくすることで、その人の活動範囲を明るく照らすことができる。また、人が存在しない場合は、１以上の照明器具１５０の調光率を比較的に小さくすることで、電力消費量を抑えつつ、例えば、当該空間に人が入ってくることが考慮された最低限の明るさが確保される。
【０１０９】
また、例えば、昼の時間帯は、窓側の２つの照明制御装置１２０（ＡおよびＢ）のそれぞれでは、明るさに着目した動作モードである明るさ検出モードで１以上の照明器具１５０の調光制御が行われる。つまり、制御対象の１以上の照明器具１５０の設置場所における環境光を考慮して、例えば人の活動に適切な明るさが維持されるように、１以上の照明器具１５０の調光率が調整される。
【０１１０】
これにより、例えば、窓から入る太陽光によって明るさが確保できている状態では、窓側の空間（副領域５０１ａおよび５０１ｂ）に人が存在している場合であっても、当該空間に対応する複数の照明器具１５０の調光率は比較的に小さくされる。その結果、照明システム１００における電力消費量が抑えられる。
【０１１１】
また、昼の時間帯における、廊下側の２つの照明制御装置１２０（ＣおよびＤ）のそれぞれでは、朝の時間帯から引き続いて、人検出モードで１以上の照明器具１５０の調光制御が行われる。これにより、例えば、窓から比較的に遠いために太陽光による明るさの確保が難しいと考えられる空間（副領域５０１ｃおよび５０１ｄ）については、人の存在の有無に応じた複数の照明器具１５０の調光制御が実行される。つまり、複数の照明器具１５０についての実効的な調光制御と省エネルギー化とが図られる。
【０１１２】
また、夜中の時間帯は、各照明制御装置１２０では、所定の調光率の維持を目的とした調光率一定モードで照明器具１５０の調光制御が行われる。例えば、人が存在しないことを前提に、照明器具１５０の調光率が“０％”に維持されるように、照明制御装置１２０が動作する。
【０１１３】
このように、本実施の形態に係る照明システム１００では、各種の環境項目（人の存在の有無、明るさ、対象空間の使用状況など）の中から、時系列上の区分ごとに適切に選択された環境項目に応じて、１以上の照明器具１５０の調光率を変化または維持させる。
【０１１４】
具体的には、複数の照明制御装置１２０それぞれの調光制御のモードを、予め設定されたスケジュールに従って切り替えさせることができる。
【０１１５】
これにより、照明システム１００は、照明システム１００が備える複数の照明器具１５０が設置された環境に応じて、各照明器具１５０を適切に調光することができる。
【０１１６】
また、本実施の形態では、スケジュール情報２００は、第一スケジュール情報２０１と第二スケジュール情報２０２とを含む。第一スケジュール情報２０１は、少なくとも１つの照明制御装置１２０（第一照明制御装置）への指示と時刻とが対応付けられた情報である。第二スケジュール情報２０２は、第一照明制御装置とは異なるアドレスが割り当てられた、少なくとも１つの照明制御装置１２０（第二照明制御装置）への指示と時刻とが対応付けられた情報である。
【０１１７】
指示制御部１１４は、タイマ１１１のカウンタ値に示される時刻に対応付けられた指示を第一スケジュール情報２０１から特定した場合、特定した指示、および、第一照明制御装置に割り当てられたアドレスを含む制御情報１１９を第一通信部１１５に送信させる。
【０１１８】
また、指示制御部１１４は、タイマ１１１のカウンタ値に示される時刻に対応付けられた指示を第二スケジュール情報２０２から特定した場合、特定した指示、および、第二照明制御装置に割り当てられたアドレスを含む制御情報１１９を第一通信部１１５に送信させる。
【０１１９】
つまり、本実施の形態に係るスケジュール情報２００は、アドレス毎に分けられた指示と時刻との対応付けを示す情報を有する。これにより、例えば、複数のアドレスのいずれかに対応付けられる複数の照明制御装置１２０のそれぞれのモード切替のタイミングの、編集または更新が容易化される。
【０１２０】
また、本実施の形態では、指示制御部１１４は、特定した指示が人検出モードを示す場合、人検出モードにおける人の検出時および非検出時それぞれの調光率をパラメータとして含む制御情報１１９を第一通信部１１５に送信させる。調光制御部１２４は、制御情報１１９に示されるアドレスが自己アドレスと一致し、かつ、制御情報１１９が人検出モードを示す場合、パラメータである、センサ部１２１による人の検出の結果に応じた調光率を用いて調光制御を行う。
【０１２１】
これにより、例えば、朝の時間帯と夜の時間帯とが共に“人検出モード”である場合であっても、夜の時間帯における人の検出時の調光率を、朝の時間帯における人の検出時の調光率よりも大きくするなどの調整が可能となる。
【０１２２】
つまり、人の存在の有無に着目したモードである人検出モードにおいて、例えば、窓から差し込む光の量を考慮した、より緻密な調光制御が実現される。
【０１２３】
また、本実施の形態では、指示制御部１１４は、特定した指示が明るさ検出モードを示す場合、目標の明るさを示す目標値をパラメータとして含む制御情報１１９を第一通信部１１５に送信させる。調光制御部１２４は、制御情報１１９に示されるアドレスが自己アドレスと一致し、かつ、制御情報１１９が明るさ検出モードを示す場合、センサ部１２１に検出される明るさが、パラメータである目標値に近づくように調光制御を行う。
【０１２４】
これにより、例えば、緻密な作業が行われる空間に照明システム１００が設置される場合に、目標値を比較的に大きく設定することで、当該空間が、緻密な作業に適した明るさに維持される。
【０１２５】
また、実施の形態に係る照明システム１００は、複数の照明器具１５０の調光制御に関する構成として、図１Ａ〜図６を用いて説明された構成以外の構成を有してもよい。そこで、照明システム１００の構成についての変形例を、上記実施の形態との差分を中心に以下に説明する。
【０１２６】
（変形例１）
図７は、実施の形態の変形例１に係るスケジュール情報２００ａおよびパラメータ情報２１０の一例を示す図である。
【０１２７】
図７に示されるスケジュール情報２００ａでは、人検出モードおよび明るさ検出モードそれぞれのパラメータが代数（ａ〜ｅ）で指定されており、代数に対応するパラメータ（数値）が、パラメータ情報２１０に含まれている。
【０１２８】
なお、本変形例におけるスケジュール情報２００ａは、アドレス“０１”および“０２”の少なくとも一方に対応付けられている。例えばスケジュール情報２００ａがアドレス“０１”に対応付けられている場合、アドレス“０２”に対応するスケジュール情報（図示せず）が、さらにスケジュール記憶部１１２記憶されている。このことは、後述する変形例２に係るスケジュール情報２００ｂにも適用される。
【０１２９】
パラメータ情報２１０は、複数の期間それぞれに対応付けられたパラメータを示す情報である。具体的には、パラメータ情報２１０では、１月から３月までなどの月単位の期間と、各種のパラメータとが対応付けられている。
【０１３０】
本変形例において、システム制御装置１１０のタイマ１１１は、年月日のうちの少なくとも月日と、時刻と示すカウンタ値を出力する。例えば日付と時刻とを含むカウンタ値（例：“２０１５．０１．３０、１２：５８”）がタイマ１１１から出力される。
【０１３１】
システム制御装置１１０の指示制御部１１４は、カウンタ値に示される月または日が含まれる期間に対応するパラメータをパラメータ情報２１０から読み出し、読み出したパラメータを含む制御情報１１９を第一通信部１１５に送信させる。
【０１３２】
例えば、タイマ１１１から出力されたカウンタ値が、“２０１５．０１．３０、１０：００”である場合、指示制御部１１４は、スケジュール情報２００ａから、時刻“１０：００”に対応する“明るさモード”および“目標値：ｃ”を読み出す。指示制御部１１４はさらに、カウンタ値に示される月“０１”、および、スケジュール情報２００ａから読み出した“目標値：ｃ”に対応するパラメータ“７００ｌｘ”を、パラメータ情報２１０から読み出す。
【０１３３】
指示制御部１１４は、上記のように特定した指示（“明るさ検出モード”および“７００ｌｘ”）、および、スケジュール情報２００ａに対応付けられた１以上のアドレスを含む制御情報１１９を、第一通信部１１５に送信させる。
【０１３４】
第一通信部１１５から送信された制御情報１１９は、各照明制御装置１２０の第二通信部１２５に受信される。その結果、制御情報１１９に示される１以上のアドレスのいずれかが自己アドレスと一致する１以上の照明制御装置１２０では、以下の動作が行われる。すなわち、調光制御部１２４は、センサ部１２１により検出される明るさが、目標値“７００ｌｘ”近づくように、４つの照明器具１５０についての調光制御を行う（図６参照）。
【０１３５】
このように、システム制御装置１１０は、時間帯ごとのモードを指定するスケジュール情報２００ａと、期間ごとの各モードで用いられるパラメータを指定するパラメータ情報２１０とを有している。これにより、例えば、同一モードにおいて、季節ごとに当該季節に適したパラメータを、照明制御装置１２０に与えることができる。
【０１３６】
例えば、図７に示すパラメータ情報２１０では、朝の時間帯に実行される人検出モードにおいて、人の検出時の調光率は、１２月〜翌年３月の期間（冬期間）では“８０％”であり、４月〜１１月の期間（春−秋期間）では、“７０％”である。
【０１３７】
つまり、日の出の時間が冬期間に比べて早い春−秋期間では、人の検出時の調光率を、冬期間における調光率よりも低く抑えることで、人の活動に必要な明るさの確保と、電力消費量の抑制とを両立させることができる。
【０１３８】
このように、本変形例に係る照明システム１００では、例えば自然環境の変化に応じて、各照明制御装置１２０に与える調光制御のパラメータをより緻密に調整することができ、これにより、例えば、省エネルギー化をより進めることができる。
【０１３９】
なお、図７において、調光率一定モードの調光率は“０％”で固定になっているが、調光率一定モードにおいて指定される調光率も、他のモードのパラメータと同様に、期間ごとに互いに異なる値がパラメータ情報２１０で定義されていてもよい。
【０１４０】
また、パラメータ情報２１０における時系列上の複数の区分は、月単位である必要はなく、日単位、年単位、または曜日単位などであってもよい。
【０１４１】
また、上記実施の形態に係る第一スケジュール情報２０１および第二スケジュール情報２０２のそれぞれにおいて、パラメータ情報２１０よって各種のパラメータが特定されるように、代数（ａ〜ｅ）によって各種のパラメータが指定されてもよい。
【０１４２】
（変形例２）
図８は、実施の形態の変形例２に係るスケジュール情報２００ｂおよび時間帯情報２１２の一例を示す図である。
【０１４３】
図８に示されるスケジュール情報２００ｂでは、照明制御装置１２０への指示と、時刻に紐付けられる識別子（（１）〜（４））とが対応付けられており、識別子に対応する時刻が、時間帯情報２１２に含まれている。
【０１４４】
時間帯情報２１２は、複数の期間それぞれに対応付けられた、識別子ごとの時間帯を示す情報である。具体的には、時間帯情報２１２では、１月から５月までなどの月単位の期間と、識別子ごとの２２時から２４時までなど時間帯とが対応付けられている。
【０１４５】
本変形例において、システム制御装置１１０のタイマ１１１は、年月日のうちの少なくとも月日と、時刻と示すカウンタ値を出力する。
【０１４６】
システム制御装置１１０の指示制御部１１４は、カウンタ値に示される月または日が含まれる期間と、カウンタ値に示される時刻とに対応する識別子を時間帯情報２１２から特定する。
【０１４７】
指示制御部１１４はさらに、特定した識別子に対応するモード等を、スケジュール情報２００ｂから特定する。
【０１４８】
例えば、タイマ１１１から出力されたカウンタ値が、“２０１５．０１．３０、１０：００”である場合、指示制御部１１４は、１月かつ１０時に対応する識別子である“（２）”を時間帯情報２１２から特定する。
【０１４９】
指示制御部１１４はさらに、識別子“（２）”に対応する指示である、“人検出モード”、“７０％”および“５％”を、スケジュール情報２００ｂから特定する。指示制御部１１４は、特定した指示（“人検出モード”、“７０％”および“５％”）、および、スケジュール情報２００ａに対応付けられた１以上のアドレスを含む制御情報１１９を、第一通信部１１５に送信させる。
【０１５０】
第一通信部１１５から送信された制御情報１１９は、各照明制御装置１２０の第二通信部１２５に受信される。その結果、制御情報１１９に示される１以上のアドレスのいずれかが自己アドレスと一致する１以上の照明制御装置１２０では、以下の動作が行われる。すなわち、調光制御部１２４は、センサ部１２１による人の検出の結果に従って、４つの照明器具１５０についての調光制御を行う（図５参照）。
【０１５１】
このように、本変形例に係るシステム制御装置１１０は、時間帯ごとの指示を特定するスケジュール情報２００ｂと、期間ごとの時間帯を特定する時間帯情報２１２とを有している。これにより、例えば、所定の時間帯に各照明制御装置１２０に所定のモードを実行させる場合において、その所定の時間帯を、季節に適した範囲に移動、拡大、または縮小することができる。
【０１５２】
例えば、図８に示す時間帯情報２１２では、夏を含む期間（６月−９月）の朝の時間帯（識別子（２）の時間帯）は、他の期間（１月−５月、１０月−１２月）の朝の時間帯よりも１時間早く定義されている。
【０１５３】
つまり、一年の中で日の出の時間が比較的に早い期間（６月−９月）では、朝の時間帯を早めに設定することで、例えば、人の活動の開始時刻に合わせた適切なモードによる調光制御を、照明制御装置１２０に実行させることができる。
【０１５４】
なお、上記実施の形態に係る第一スケジュール情報２０１および第二スケジュール情報２０２のそれぞれが、時間帯情報２１２よって特定される時間帯を参照するように構成されていてもよい。
【０１５５】
なお、上記実施の形態に係る第一スケジュール情報２０１および第二スケジュール情報２０２のそれぞれは、時間帯情報２１２よって各種のモードに割り当てられた時間帯が特定されるように、識別子（（１）〜（４））を含んでもよい。
【０１５６】
（変形例３）
図９は、実施の形態の変形例３に係るシステム制御装置１１０と通信端末３００とを示す図である。
【０１５７】
図１０は、実施の形態の変形例３に係る通信端末３００が表示する照明システム設定画面の一例を示す図である。
【０１５８】
図９に示す変形例３に係るシステム制御装置１１０では、第一通信部１１５は、通信端末３００から送信される、照明器具１５０の動作を制御するための設定情報を受信する。
【０１５９】
指示制御部１１４は、第一通信部１１５が受信した設定情報を用いてスケジュール情報２００を生成または更新し、生成または更新したスケジュール情報２００を、スケジュール記憶部１１２に記憶させる。
【０１６０】
通信端末３００は、情報表示機能を有する端末装置であり、例えば、スマートフォン、タブレット、またはパーソナルコンピュータ等によって実現される。通信端末３００は、表示パネル３１０、ＣＰＵおよび通信インタフェース等を有し、アプリケーションプログラムを実行する機能を有している。
【０１６１】
通信端末３００と第一通信部１１５との間の情報の送信または受信の方式に特に限定はなく、Ｗｉ−Ｆｉ（登録商標）およびＢｌｕｅＴｏｏｔｈ（登録商標）など、各種の通信規格のうちのいずれかが当該方式として採用される。
【０１６２】
以上説明した、これら通信端末３００についての事項は、後述する変形例４および５にも適用される。
【０１６３】
本変形例では、通信端末３００は、一般にスマートフォンと呼ばれる携帯型端末装置であり、スケジュール情報２００の内容を設定するためのアプリケーションプログラムを有している。通信端末３００は、例えば図１０に示すような照明システム設定画面（以下、「設定画面」という）を、ユーザインタフェースとして表示パネル３１０に表示する。
【０１６４】
ユーザは、設定画面において、例えば、設定しようとしているスケジュールに対応するアドレス、および、時間帯ごとのモードを指定し、設定画面に表示される送信ボタンを押す等の所定の操作を行う。これにより、設定画面において指定されたアドレスおよびモード等を示す情報が、設定情報としてシステム制御装置１１０に送信される。本変形例では、無線通信によって、設定情報が通信端末３００からシステム制御装置１１０に送信される。
【０１６５】
なお、図１０では、“朝：６−１１”など、固定された時間帯に対してユーザがモード選択する画面が例示されているが、モード以外の項目が、ユーザが選択または入力可能であってもよい。
【０１６６】
例えば、各時間帯の始期と終期とがユーザに選択または入力が可能な項目として設定画面に表示されてもよい。また、単に、“夏設定”または“省エネルギー優先設定”などの設定名をユーザが選択または入力することで、複数の時間帯と、これら時間帯に対応付けられたモードとのセット（以下、「モードセット」という。）が、設定情報としてシステム制御装置１１０に送信されてもよい。
【０１６７】
なお、通信端末３００は、設定情報として、“夏設定”または“省エネルギー優先設定”などの設定名を示す情報を、設定情報としてシステム制御装置１１０に送信してもよい。この場合、システム制御装置１１０が、複数の設定名にそれぞれに対応するモードセットを記憶していれば、指示制御部１１４は、設定情報に示される設定名によって、スケジュール情報２００の生成または更新に用いるモードセットを特定することができる。
【０１６８】
このように、本変形例では、通信端末３００から送信される設定情報により、スケジュール情報２００が生成または更新される。そのため、例えば、通信端末３００が備える多機能な入力部（ソフトウェア／ハードウェアキーボードなど）を利用したスケジュール情報２００の生成等が可能となる。
【０１６９】
つまり、スケジュール情報２００の生成または更新の効率化が図られるため、例えば、時間帯または季節などに応じたスケジュール情報２００の編集が容易化される。
【０１７０】
（変形例４）
図１１は、実施の形態の変形例４に係るシステム制御装置１１０と通信端末３００とを示す図である。
【０１７１】
図１２は、実施の形態の変形例４に係る通信端末３００が表示するスケジュール確認画面の一例を示す図である。
【０１７２】
図１１に示す変形例４に係るシステム制御装置１１０では、第一通信部１１５は、スケジュール記憶部１１２に記憶されているスケジュール情報２００の少なくとも一部を通信端末３００に送信する。
【０１７３】
本変形例では、通信端末３００は、スケジュール確認情報の要求、および、受け取ったスケジュール確認情報を用いてスケジュール確認画面を生成するためのアプリケーションプログラムを有している。
【０１７４】
ユーザは、例えば、当該アプリケーションプログラムが起動した後に表示される要求ボタンを押す等の所定の操作を行う。これにより、通信端末３００からシステム制御装置１１０へのスケジュール確認情報の要求が行われる。
【０１７５】
指示制御部１１４は、第一通信部１１５が当該要求を受信した場合、スケジュール記憶部１１２から、スケジュール情報２００の少なくとも一部を読み出す。読み出された当該少なくとも一部は、スケジュール確認情報として、第一通信部１１５から通信端末３００へ送信される。
【０１７６】
なお、スケジュール情報２００の一部がスケジュール確認情報として送信される場合、指示制御部１１４は、スケジュール情報２００のうちの、例えば現在時刻を基準とした所定の範囲の情報を、第一通信部１１５を用いて通信端末３００に送信してもよい。
【０１７７】
また、指示制御部１１４は、例えば、スケジュール情報２００のうちの、通信端末３００からの要求よって指定されたアドレスに対応する部分のみ（例えば第一スケジュール情報２０１のみ）を、第一通信部１１５を用いて通信端末３００に送信してもよい。
【０１７８】
このように、システム制御装置１１０から通信端末３００へ、スケジュール確認情報が送信されるため、通信端末３００では、例えば、図１２に示すようなスケジュール確認画面を表示パネル３１０に表示することができる。
【０１７９】
図１２に示すスケジュール確認画面では、一日分のモードの切り替えの、アドレス毎のスケジュールが表示されており、かつ、当該スケジュールの中で現在がどの位置にあるかが示されている。
【０１８０】
これにより、ユーザは、その日の一日において、複数の照明器具１５０がどのようなモードで調光制御されるかを容易に視認できる。また、図１２に示す例では、複数の照明器具１５０が、現在どのモードで調光制御されているかを容易に視認できる。
【０１８１】
その結果、例えば、その時点において設定されているスケジュール全体が適切か否か、または、その時点において実行されている調光制御のモードが適切か否かなどの確認が容易化される。
【０１８２】
なお、図１２では、スケジュール確認画面には、“人”および“明るさ”など、モードの種類を特定する文字が表示されているが、これらは文字である必要はなく、例えば、各モードと対応付けられたアイコンがスケジュール確認画面に表示されてもよい。
【０１８３】
また、スケジュール確認画面に、各モードに用いられているパラメータ（人の検出時の調光率、または明るさの目標値など）が表示されてもよい。
【０１８４】
また、例えば、ユーザの所定の操作により、アドレス“０１”に対応するスケジュールと、アドレス“０２”に対応するスケジュールとが、スケジュール確認画面において切り替えて表示されてもよい。
【０１８５】
また、第一通信部１１５は、通信端末３００からの要求に依存せずに、スケジュール確認情報の通信端末３００への送信を行ってもよい。第一通信部１１５は、例えば、定期的に、または、モードの切り替え（制御情報１１９の送信）などのイベントの発生をトリガとして、スケジュール確認情報の送信を行ってもよい。
【０１８６】
（変形例５）
図１３は、実施の形態の変形例５に係る照明制御装置１２０と通信端末３００とを示す図である。
【０１８７】
図１４は、実施の形態の変形例５に係る通信端末３００が表示するモード確認画面の一例を示す図である。
【０１８８】
なお、以下では、照明制御装置１２０が有するモード情報の送信機能について説明するが、照明システム１００が有する複数の照明制御装置１２０の全てが、モード情報の送信機能を有する必要はない。これら複数の照明制御装置１２０のうちの１つのみが、本変形例で説明されるモード情報の送信機能を有していてもよい。
【０１８９】
図１３に示す変形例５に係る照明制御装置１２０では、第二通信部１２５は、調光制御部１２４が実行中のモードが、人検出モード、明るさ検出モード、および、調光率一定モードのうちのいずれであるかを示すモード情報を、第二通信部１２５と通信する通信端末３００に送信する。
【０１９０】
本変形例では、通信端末３００は、モード情報の要求、および、受け取ったモード情報を用いてモード確認画面を生成するためのアプリケーションプログラムを有している。
【０１９１】
ユーザは、例えば、当該アプリケーションプログラムが起動した後に表示される要求ボタンを押す等の所定の操作を行う。これにより、通信端末３００からシステム制御装置１１０へのモード情報の要求が行われる。
【０１９２】
照明制御装置１２０の調光制御部１２４は、第二通信部１２５が当該要求を受信した場合、その時点で実行中のモードを示す情報（モード名またはモードＩＤなどの、モードの識別情報）を、モード情報として第二通信部１２５を用いて通信端末３００に送信する。また、モード情報には、照明制御装置１２０も含まれる。
【０１９３】
このようにしてモード情報を受信した通信端末３００は、例えば、図１４に示すようなモード確認画面を表示パネル３１０に表示することができる。
【０１９４】
図１４に示すモード確認画面では、照明制御装置１２０の識別情報（本変形例では、“照明制御装置Ａ”）、および、現時点でどのモードが実行中であるか示されている。また、このモード確認画面では、人検出モードが実行中であり、かつ、現時点において、人が検出されており、調光率が“７０％”であることが示されている。つまり、第二通信部１２５から送信されたモード情報には、送信の時点における調光率等の情報が含まれている。
【０１９５】
これにより、ユーザは、１つの照明制御装置１２０における現時点のモードの種類および内容を容易に視認できるため、その時点において実行されている調光制御のモードが適切か否かなどの確認が容易化される。
【０１９６】
なお、図１４に示すモード確認画面では、調光率等の現在の状況も示されているが、通信端末３００は、受信したモード情報に基づいて、少なくとも、現時点で実行中のモードを示す情報を出力すればよい。
【０１９７】
また、モード情報の送信元は、照明制御装置１２０ではなく、システム制御装置１１０であってもよい。つまり、システム制御装置１１０は、現在時刻を確認できるタイマ１１１および、照明制御装置１２０への指示を含むスケジュール情報２００を有している。
【０１９８】
そのため、システム制御装置１１０は、例えば、通信端末３００からの要求に含まれるアドレスを用いて、当該アドレスを有する照明制御装置１２０がどのモードを実行中であるかを間接的に知ることができる。従って、システム制御装置１１０から通信端末３００へ、ある特定の照明制御装置１２０が実行中のモードを示すモード情報を送信することは可能である。
【０１９９】
すなわち、システム制御装置１１０の第一通信部１１５が、複数の照明制御装置１２０のうちの１つの照明制御装置１２０が有する調光制御部１２４が実行中のモードが、人検出モード、明るさ検出モード、および、調光率一定モードのうちのいずれであるかを示すモード情報を、当該一方と通信する通信端末３００に送信してもよい。
【０２００】
なお、第一通信部１１５または第二通信部１２５は、通信端末３００からの要求に依存せずに、モード情報の通信端末３００への送信を行ってもよい。第一通信部１１５または第二通信部１２５は、例えば、定期的にモード情報の送信を行ってもよい。
【０２０１】
また、例えば第二通信部１２５は、あるモードにおける調光率の変更、または、モードの切り替えなどのイベントの発生をトリガとして、モード情報の送信を行ってもよい。
【０２０２】
（変形例６）
図１５は、実施の形態の変形例５に係るサブシステム１０１ｄにおける指示情報１２９の流れを示す図である。
【０２０３】
なお、以下では、１つのサブシステム（サブシステム１０１ｄ）が有する、複数の照明器具１５０に対する個別制御機能について説明を行うが、複数のサブシステムが個別制御機能を有してもよい。例えば、サブシステム１０１ａ〜１０１ｄの全てが個別制御機能を有してもよい。
【０２０４】
本変形例に係るサブシステム１０１ｄは、照明制御装置１２０（本変形例では照明制御装置Ｄ）、および、照明制御装置１２０に接続されている、それぞれに器具アドレスが割り当てられた複数の照明器具１５０（Ｌａ〜Ｌｄ）とを備える。本変形例では、複数の照明器具１５０（Ｌａ〜Ｌｄ）のそれぞれは、互いに異なる器具アドレス（００１〜００４）が割り当てられている。
【０２０５】
また、照明制御装置１２０の調光制御部１２４は、複数の器具アドレスのうちの少なくとも１つの器具アドレスと、調光率を示す情報とを含む指示情報１２９を、複数の照明器具１５０に送信する。これにより、当該少なくとも１つの器具アドレスに対応する少なくとも１つの照明器具１５０の調光制御が行われる。
【０２０６】
具体的には、本変形例に係るサブシステム１０１ｄにおいて、複数の照明器具１５０それぞれの点灯制御部１５２は、照明制御装置１２０から送信された指示情報１２９を受信する。点灯制御部１５２はさらに、指示情報１２９に示される少なくとも１つの器具アドレスのうちの１つが、照明器具１５０の器具アドレスと一致する場合、指示情報１２９に示される調光率で、照明器具１５０が有する光源１５５を点灯させる。
【０２０７】
図１５に示す例では、指示情報１２９には、宛先の器具アドレスとして“００３”および“００４”の２つの器具アドレスが含まれており、かつ、調光率を示す“７０％”が含まれている。
【０２０８】
この場合、照明制御装置１２０から送信された指示情報１２９は、４つの照明器具１５０に受信される。しかし、器具アドレス“００１”が割り当てられた照明器具１５０（照明器具Ｌａ）および、器具アドレス“００２”が割り当てられた照明器具１５０（照明器具Ｌｂ）では、宛先の器具アドレスに自身の器具アドレスが存在しないため、指示情報１２９に示される指示は無視される。
【０２０９】
一方、器具アドレス“００３”が割り当てられた照明器具１５０（照明器具Ｌｃ）および、器具アドレス“００４”が割り当てられた照明器具１５０（照明器具Ｌｄ）では、宛先の器具アドレスに自身の器具アドレスが存在するため、指示情報１２９に示される指示が実行される。
【０２１０】
その結果、例えば、照明器具ＬａおよびＬｂでは調光率は変更されず、かつ、照明器具ＬｃおよびＬｄでは調光率は“７０％”に変更される。
【０２１１】
このように、照明制御装置１２０は、複数の照明器具１５０の各々に対し、互いに異なる調光制御を行うことが可能である。
【０２１２】
この特徴は、例えば、以下のような場面において有用である。すなわち、照明制御装置１２０が、人検出モードを実行中である期間において、無人であった副領域５０１ｄに、図１５に示すように人が入ってきた場合を想定する。
【０２１３】
また、サブシステム１０１ｄが配置された副領域５０１ｄは、図１５に示すように、４つの個別領域（５０２ａ〜５０２ｄ）に区分されており、センサ部１２１は、個別領域（５０２ａ〜５０２ｄ）のそれぞれにおいて、人および明るさを検出する場合を想定する。
【０２１４】
このような状況において、副領域５０１ｄに人が入る前は、４つの照明器具１５０は例えば調光率“５％”で点灯している。その後、センサ部１２１は、個別領域５０２ｄにおいて人の存在を検出する。調光制御部１２４は、この検出結果に基づき、個別領域５０２ｄおよび５０２ｃに対応する、照明器具ＬｄおよびＬｃの調光率を“７０％”とするための指示情報１２９を、第二通信部１２５に送信させる。
【０２１５】
つまり、図１５に示す、照明器具ＬｄおよびＬｃの器具アドレスを宛先とする指示情報１２９が４つの照明器具１５０に送信され、そのうちの、照明器具ＬｄおよびＬｃのみが、指示情報１２９に従って、調光率“７０％”で光源１５５を点灯させる。
【０２１６】
その結果、副領域５０１ｄにおいて、人の存在位置を含む所定の領域が明るく照らされ、かつ、他の領域における１以上の照明器具１５０の調光率は抑えられたまま維持される。これにより、副領域５０１ｄを、必要に応じて部分的に明るくすることができるとともに、照明システム１００の全体の消費電力量が抑制される。
【０２１７】
なお、図１５に示す例において、４つの個別領域（５０２ａ〜５０２ｄ）のうちの、人が検出された個別領域５０２ｄの照明器具Ｌｄのみに対し、調光率を“７０％”に変更する調光制御が行われてもよい。
【０２１８】
また、照明器具Ｌａ〜Ｌｄのそれぞれに、互いに異なる器具アドレスが割り当てられている必要はない。例えば、同じモードで同期して調光すべき２以上の照明器具１５０に、同一の器具アドレスが割り当てられていてもよい。
【０２１９】
また、調光制御部１２４は、例えば明るさ検出モードにおいて、センサ部１２１が検出する４つの個別領域（５０２ａ〜５０２ｄ）それぞれの明るさの検出結果に基づいて、４つの照明器具１５０の各々に、互いに異なる調光率を指示することも可能である。これにより、例えば、外光が入りやすいか否かなどの条件が異なる複数の個別領域の明るさを平準化することが可能となる。
【０２２０】
（他の実施の形態）
以上、本発明に係る照明装置について、上記実施の形態およびその変形例に基づいて説明したが、本発明は、上記実施の形態およびその変形例に限定されるものではない。
【０２２１】
例えば、図４では、スケジュール情報２００が、２つのアドレス“０１”および“０２”それぞれに対応するスケジュールを明示する第一スケジュール情報２０１と第二スケジュール情報２０２とを含むとした。
【０２２２】
しかし、スケジュール情報２００の態様は、上記態様に限定されない。例えば、スケジュール情報２００は、上記実施の形態に係る４つの照明制御装置１２０に共通して用いられる、指示と時刻との対応付けを示す情報を有してもよい。
【０２２３】
この場合、指示制御部１１４は、例えば、アドレス“０２”に対しては６時−２１時の期間は指示を送らない旨のルールに従って動作してもよい。この場合、スケジュール情報２００に示される６時−２１時の期間における指示は、宛先のアドレスとして“０１”のみが指定される。その結果、アドレス“０１”の照明制御装置１２０（ＡおよびＢ）と、アドレス“０２”の照明制御装置１２０（ＣおよびＤ）とで、同一時間帯において互いに異なるモードで動作させることができる。
【０２２４】
また、例えば、スケジュール情報２００に示される、モードの切り替えのタイミングが、時間単位である場合、タイマ１１１が出力するカウンタ値に示される時刻は、時間、分、秒のうちの少なくとも時間を示せばよい。
【０２２５】
また、スケジュール情報２００は、例えば図４に示すようなパラメータを含んでいなくてもよい。例えば、人の検出時および非検出それぞれの調光率または目標値の照度等のパラメータを、照明制御装置１２０が保持している場合を想定する。この場合、照明制御装置１２０は、システム制御装置１１０から、実行すべきモードを識別する情報を受信すれば、当該モードを、当該モードに適した１以上のパラメータを用いて実行することが可能である。
【０２２６】
また、例えば、人検出モードにおいて、調光率の変化は３段階以上であってもよい。例えば、検出した人数が多くなった場合に、調光率を上げる制御が行われてもよい。さらに、人検出モードにおいて、センサ部１２１は、人を検出した場合に、検出した人の状態を示す検出結果を出力してもよい。例えば、センサ部１２１は、人を検出した場合、静止している人を検出したことを示す検出結果、または、移動している人を検出したことを示す検出結果等の、より詳しく分類された検出結果を出力しても構わない。
【０２２７】
この場合、調光制御部１２４は、センサ部１２１から出力された検出結果が、移動している人を検出したことを示す場合と、静止している人を検出したことを示す場合とで、互いに異なる調光率を用いて調光制御を行ってもよい。また、これらの調光率は、システム制御装置１１０から照明制御装置１２０に送信されてもよい。
【０２２８】
つまり、システム制御装置１１０の指示制御部１１４は、スケジュール情報２００から特定した指示が人検出モードを示す場合、人の検出時における人の状態に応じた調光率、または、人の非検出時の調光率をパラメータとして含む制御情報１１９を前記第一通信部１１５に送信させてもよい。
【０２２９】
また、スケジュール情報２００と、他の情報（パラメータ情報２１０、時間帯情報２１２など）とは、互いに別体の複数の記憶装置に記憶されていてもよい。
【０２３０】
また、照明制御装置１２０が実行すべき調光制御のスケジュールにおいて、各モードにおける調光率等のパラメータと、各モードに割り当てられる時間帯との両方が任意に設定できてもよい。つまり、照明システム１００は、上記変形例１および変形例２の両方の特徴を有してもよい。
【０２３１】
また、システム制御装置１１０から照明制御装置１２０への指示は、照明制御装置１２０が実行すべきモードを明示的に示さなくてもよい。例えば、制御情報１１９に、目標値が“５００ｌｘ”であること示す情報が含まれていれば、照明制御装置１２０は、明るさ検出モードを実行すべきと判断することができる。同様に、制御情報１１９に、２つの調光率を示す情報が含まれていれば、照明制御装置１２０は、人検出モードを実行すべきと判断することができる。また、制御情報１１９に示される調光率が１つのみの場合は、照明制御装置１２０は、調光率一定モードを実行すべきと判断することができる。
【０２３２】
また、照明器具１５０が備える光源１５５は、１以上のＬＥＤでなくてもよい。例えば、１以上の蛍光管が光源１５５として採用されてもよい。また、半導体レーザ等の半導体発光素子、有機ＥＬ（Ｅｌｅｃｔｒｏ  Ｌｕｍｉｎｅｓｃｅｎｃｅ）または無機ＥＬ等の発光素子が光源１５５として採用されてもよい。
【０２３３】
また、本発明は、システム制御装置１１０および照明制御装置１２０の少なくとも一方が行う特徴的な処理をコンピュータに実行させるプログラムとして実現することもできる。そして、そのようなプログラムは、ＣＤ−ＲＯＭ等の記録媒体およびインターネット等の伝送媒体を介して流通させることができる。
【０２３４】
その他、上記実施の形態等に対して当業者が思いつく各種変形を施して得られる形態、および、本発明の趣旨を逸脱しない範囲で上記実施の形態等における構成要素および機能を任意に組み合わせることで実現される形態も本発明に含まれる。
【符号の説明】
【０２３５】
１００  照明システム
１０１ａ、１０１ｂ、１０１ｃ、１０１ｄ  サブシステム
１１０  システム制御装置
１１１  タイマ
１１２  スケジュール記憶部
１１４  指示制御部
１１５  第一通信部
１１９  制御情報
１２０  照明制御装置
１２１  センサ部
１２２  アドレス記憶部
１２４  調光制御部
１２５  第二通信部
１２９  指示情報
１５０  照明器具
１５２  点灯制御部
１５５  光源
２００、２００ａ、２００ｂ  スケジュール情報
２０１  第一スケジュール情報
２０２  第二スケジュール情報
２１０  パラメータ情報
２１２  時間帯情報
３００  通信端末
【図１Ａ】
0006562339.tif 000002
【図１Ｂ】
0006562339.tif 000003
【図２】
0006562339.tif 000004
【図３】
0006562339.tif 000005
【図４】
0006562339.tif 000006
【図５】
0006562339.tif 000007
【図６】
0006562339.tif 000008
【図７】
0006562339.tif 000009
【図８】
0006562339.tif 000010
【図９】
0006562339.tif 000011
【図１０】
0006562339.tif 000012
【図１１】
0006562339.tif 000013
【図１２】
0006562339.tif 000014
【図１３】
0006562339.tif 000015
【図１４】
0006562339.tif 000016
【図１５】
0006562339.tif 000017